(57)【要約】【課題】極めて簡単に装着でき、棚板支持部材にスペーサーを介在させることによって厚さの異なる棚板を装着することができる棚受装置を提供すること。【解決手段】水平の棚板押さえ片を有する壁面乃至ボードに取り付けられる取付基板と、棚板を受けるための水平片と垂直片から構成される棚板支持部材とから成り、取付基板は取付ネジによって壁面乃至ボードに締着固定される棚受装置において、取付基板の下端を上方に折り曲げて前記棚板支持部材の垂直片の下端が挿入できる溝を形成したことを特徴とする。【選択図】図３
2012200591.tif 000002
【特許請求の範囲】
【請求項１】
水平の棚板押さえ片を有する壁面乃至ボードに取り付けられる取付基板と、棚板を受けるための水平片と垂直片から構成される棚板支持部材とから成り、取付基板は取付ネジによって壁面乃至ボードに締着固定される棚受装置において、取付基板の下端を上方に折り曲げて前記棚板支持部材の垂直片の下端が挿入できる溝を形成したことを特徴とする棚受装置。
【請求項２】
請求項１記載の棚受装置において、取付基板の下端を上方に折り曲げて前記棚板支持部材の垂直片の下端が挿入できる溝を形成すると共に該溝に挿入できる水平方向に位置のずれた第１垂直片と第２垂直片を有する継ぎ足し材たるアダプターとから構成されることを特徴とする請求項１記載の棚受装置。
【発明の詳細な説明】
【技術分野】
【０００１】  本発明は、極めて簡単に装着でき、棚板支持部材にスペーサーを介在させることによって厚さの異なる棚板を装着することができる棚受装置に関するものである。
【背景技術】
【０００２】
【特許文献１】  特開２００５−１６９０３５
【発明の開示】
【発明が解決しようとする課題】
【０００３】  従来から壁面に取り付けられ板厚に応じて棚板を挟着する間隔即ち挟着巾を調節することができる棚受装置として特開２００５−１６９０３５号公報等に記載されるような棚受装置がある。【０００４】  然しながら、このような棚受装置にあっては、棚板の厚さに応じて任意に挟着巾を変えることができ、どのような棚板にも対応できるメリットはあるが、取付作業が複雑であるだけでなく、調節ネジ等の複数の部材を必要とし、価格的に高価となる欠点がある。【０００５】  本発明は、極めて簡単に装着できる棚受装置を提供し、また、棚板の厚さに応じて任意に挟着巾を変えることはできないが、アダプターを使用することによって棚板支持部材の位置を変えるという簡単な操作だけで強固に棚板が装着保持される薄型、厚型２種類の棚板に対応できる棚受装置を提供することにある。
【課題を解決するための手段】
【０００６】  本発明の請求項１の棚受装置は、水平の棚板押さえ片を有する壁面乃至ボードに取り付けられる取付基板と、棚板を受けるための水平片と垂直片から構成される棚板支持部材とから成り、取付基板は取付ネジによって壁面乃至ボードに締着固定される棚受装置において、取付基板の下端を上方に折り曲げて前記棚板支持部材の垂直片の下端が挿入できる溝を形成したことを特徴とするものである。【０００７】  本発明の請求項２の棚受装置は、水平の棚板押さえ片を有する壁面乃至ボードに取り付けられる取付基板と、棚板を受けるための水平片と垂直片から構成される棚板支持部材とから成り、取付基板は取付ネジによって壁面乃至ボードに締着固定される棚受装置において、取付基板の下端を上方に折り曲げて前記棚板支持部材の垂直片の下端が挿入できる溝を形成すると共に該溝に挿入できる水平方向に位置のずれた第１垂直片と第２垂直片を有する継ぎ足し材たるアダプターとから構成されることを特徴とするものである。
【発明の作用】
【０００８】  本発明の請求項１の棚受装置では、棚板支持部材の垂直片を取付基板の下端側の溝に上から差し入れるという簡単な作業で棚板を強固に装着保持する。
【０００９】  本発明の請求項２の棚受装置では、アダプターの第１垂直片を取付基板の下端側の溝に上から差し入れ、同アダプターの第２垂直片と取付基板の間にできるスリットに棚板支持部材の垂直片を下端を差し入れるという簡単な作業で２種類の厚さの棚板を強固に装着保持する。
【実施例】
【００１０】  図１は、本発明装置の第１実施例の分解斜視図、図２は、同装置の組立状態の斜視図、図３は、同装置の組立状態における縦断側面図、図４は、本発明装置の第２実施例の分解斜視図、図５は、同装置の組立状態の斜視図、図６は、同装置の組立状態における縦断側面図である。【０００９】  図において、１は、水平の棚板押さえ片１−１を有する壁面Ｗ乃至ボードに取り付けられる取付基板で、下端は上方に折り曲げられて後述する棚板支持部材の垂直片の下端が挿入できる溝１ａが形成され、同基板の棚板押さえ片１−１側に壁面Ｗ等に取り付けるためのネジの挿通孔が形成されている。【００１０】  ２は、棚板Ｔを受けるための水平片２−１及び垂直片２−２から構成される取付基板１と同幅の棚板支持部材で、垂直片２−２の下端を前記取付基板１の溝１ａに嵌合するようになっており、水平片２−１には棚板Ｔを止めるためのネジの挿通孔２ａが形成されている。【００１１】３は、取付基板１の溝１ａに挿入できる水平方向に位置のずれた第１垂直片３−１と第２垂直片３−２を有する継ぎ足し材たるアダプターであって、その厚さは溝１ａの巾と同じにしてあり、第１垂直片３−１と第２垂直片３−２の位置のずれは取付基板１の厚みと同じとなるようにしてある。【００１２】  図１〜図３に図示されるように、取付基板１をネジの挿通孔にネジｍを挿通して壁面Ｗに取り付け、棚板支持部材２の垂直片２−２の下端を取付基板１の溝１ａに挿入し、棚板押さえ片１−１と水平片２−１の間の隙間に木製の板のような棚板Ｔを差し入れ、ネジの挿通孔２ａにネジｎを嵌合して棚板Ｔを締着固定して厚型の棚板Ｔが装着保持される。（請求項１の実施例）【００１３】  図４〜図６に図示されるように、取付基板１をネジの挿通孔にネジｍを挿通して壁面Ｗに取り付けた後、アダプター３の第１垂直片３−１の下端を棚板支持部材２の垂直片２−２の下端を取付基板１の溝１ａに挿入すると、アダプター３の厚さは溝１ａの巾と同じにしてあり、第１垂直片３−１と第２垂直片３−２の位置のずれは取付基板１の厚みと同じとなるようにしてあるので、取付基板１下端の上方への折り曲げ片が上方に伸びたような状態になり、取付基板１とアダプター３の第２垂直片３−２との間に前記溝１ａと同じような溝が形成されることになるため、この溝に図１〜図３の場合と同じく棚板支持部材２の垂直片２−２の下端を挿入してやれば棚板押さえ片１−１と水平片２−１の間の隙間は前記実施例の場合よりも狭くなり、ガラス木製の板のような棚板Ｔを差し入れ、ネジの挿通孔２ａにネジｎを嵌合して棚板Ｔを締着固定して薄型の棚板Ｔが装着保持される。（請求項２の実施例）
【発明の効果】
【００１４】  以上述べたように、本発明の請求項１の棚受装置によれば、水平の棚板押さえ片を有する壁面乃至ボードに取り付けられる取付基板と、棚板を受けるための水平片と垂直片から構成される棚板支持部材とから成り、取付基板は取付ネジによって壁面乃至ボードに締着固定される棚受装置において、取付基板の下端を上方に折り曲げて前記棚板支持部材の垂直片の下端が挿入できる溝を形成したものであるから、
極めて簡単な構造でありながら棚板支持部材の垂直片を取付基板の下端側の溝に上から差し入れるという簡単な作業で棚板を強固に装着保持することができる棚受装置を提供できる。
【００１５】  また、本発明の請求項２の棚受装置によれば、前記取付基板の溝に挿入できる水平方向に位置のずれた第１垂直片と第２垂直片を有する継ぎ足し材たるアダプターを使用することによって、薄型、厚型２種類の棚板に対応できる棚受装置を提供できる。
【図面の簡単な説明】
【００１６】
【図１】  本発明装置の第１実施例の分解斜視図である。
【図２】  同装置の組立状態の斜視図である。
【図３】  同装置の組立状態における縦断側面図である。
【図４】  本発明装置の第２実施例の分解斜視図である。
【図５】  同装置の組立状態の斜視図である。
【図６】  同装置の組立状態における縦断側面図である。
【００１７】１      取付基板
２      棚板支持部材
【図１】
2012200591.tif 000003
【図２】
2012200591.tif 000004
【図３】
2012200591.tif 000005
【図４】
2012200591.tif 000006
【図５】
2012200591.tif 000007
【図６】
2012200591.tif 000008